(57)【要約】【課題】乾湿どちらの状況下でも効果的に汚れを拭き取ることのできる乾湿両用モップの構造を提供する。【解決手段】ハンドルバー１は上方にグリップと下方に接続部１２とを設けて該グリップと接続部１２との間に押圧装置を設けてなり、ボトルホルダ２は該接続部１２下方に接続し、洗浄液の貯液ボトル３は該押圧装置を押して空気を導入させることでノズルから液体をスプレーさせるべくポンプ構造３１を設けてなり、また、回転構造４は上方が該ボトルホルダ２と連結されるフォーク状を呈した回転桿４１を設けると共に下方には回転桿ホルダ４２を設けてモップボード５を回転可能に取り付け、該回転構造４によって該ボトルホルダ２と貯液ボトル３に適度な高さを与えると共に前後左右に回転させる機能を提供することでスプレーする距離や角度を調製する。【選択図】        図２
0003102820.tif 000002
【実用新案登録請求の範囲】
【請求項１】
ハンドルバーと、ボトルホルダと、貯液ボトルと、モップボード回転構造と、モップボードと、を含む乾湿両用モップの構造において、
上方にはグリップが設けられ、下方には接続部を具有し、且つ該グリップと接続部との間には押圧装置が設けられている該ハンドルバーと、
該接続部下方に設置され、該貯液ボトルを挟持する該ボトルホルダと、
ポンプ構造構造を具有し、該押圧装置のプッシュ操作に連動して気体を導入してボトル蓋前方に設けられたノズルによりクリーナーなどの液体をスプレーする該貯液ボトルと、
上方が該ボトルホルダと連結され、下方が該回転桿ホルダと枢接されるフォーク状を呈した回転桿を具有し、且つ該回転桿の下方が該モップボードと枢接される該回転構造と、
モップ用布を挟設して定位し、上方の回転桿ホルダ接続部で該回転桿ホルダを接続する個所を提供する該モップボードと、
を具有してなると共に、該ボトルホルダと貯液ボトルの位置を適度に上げ、仰角と左右の回転ができるようにし、スプレーノズルからのスプレー距離と角度を調整可能としてなることを特徴とする乾湿両用モップの構造。
【請求項２】
該押圧装置において、該ハンドルバー上にはボタンが設けられ、且つ該ハンドルバー内の該ボタンに隣接する個所にレバーが設けられており、更に該レバーは連動部の一端と枢接されて弾力片と接触し、且つ該連動部のもう一端は該ハンドルバーを挿通して該接続部にまで延伸しており、該接続部内の押圧桿の一端部と連結され、該一端部下方は更にバネと連結され、該押圧桿のもう一端には押圧片が設けられており、
該ボタンを押すことにより該レバーが回転すると、該連動部が引き上げられて該弾力片を押圧し、同時に該押圧桿の至端部が引き上げられることにより該バネが引っ張られ、もう一端の該押圧片が下方に移動することを特徴とする請求項１記載の乾湿両用モップの構造。
【請求項３】
該ボトルホルダは両側の翼片によって該貯液ボトルを挟持し、且つ該二つの翼片の底部にそれぞれ設けた円弧形の嵌合部を該ボトルの頚部に嵌合して定位することを特徴とする請求項１記載の乾湿両用モップの構造。
【請求項４】
該ポンプ構造においては、バルブが該貯液ボトル底の凹部に設けられ、該押圧装置を押圧して該バルブを開いて空気を導入し、これと連結される連結桿を下方へ移動させることでボトル蓋と嵌合されるバルブホルダの穿孔を開け、該ボトル内のクリーナーなどの液体を該ボトル蓋より流出させてノズルによりスプレーするものであり、
更に該バルブが該バルブ蓋と該凹部の入口と連結され、該押圧桿が該上バネを穿設して該バルブ口を通過し、更に上バルブ片を穿設することで、該押圧桿の伸縮移動により該上バルブ片が該バルブ口に対して開閉を行うことを特徴とする請求項１記載の乾湿両用モップの構造。
【請求項５】
該連結桿下段のストップリング下方には下バネが穿設され、該バルブホルダ中央のバネ設置柱と穿孔を挿通した後、下バルブ片と連結し、該連結桿の伸縮移動により該下バルブ片が該穿孔を開閉し、同時に該ノズルに圧力を生じさせてクリーナーなどの液体をスプレーさせるようにしてなることを特徴とする請求項４記載の乾湿両用モップの構造。
【請求項６】
該モップボード前後両側にはそれぞれ少なくとも一つずつ挟設部が設けられてモップ用布が挟設固定される個所を提供し、且つ該挟設部は該モップボードの四隅に嵌合孔が設けられて表面が放射状にスリットの入った挟設具が嵌合されるようにしてなることを特徴とする請求項１記載の乾湿両用モップの構造。
【請求項７】
該乾湿両用モップの構造には更に未使用布ホルダを含み、
該未使用布ホルダは固定ホルダの背面を固定リングによって該ハンドルバー上に固定し、且つ中段の二つの弓形弾力片嵌合部には弓形弾力片を嵌合し、軌道の背面両側の滑動翼を該固定ホルダと嵌合して該弓形弾力片嵌合部で該弓形弾力片を押圧することにより、該軌道を該固定ホルダに対して伸展或いは縮合させ、更に未使用布を装入するボックスを該軌道の上定位凸部と該固定ホルダの下定位凸部との間にて挟設することを特徴とする請求項１記載の乾湿両用モップの構造。
【考案の詳細な説明】
【技術分野】
【０００１】
本考案は乾湿両用モップの構造に係り、特に乾いたモップで汚れを拭き取るのみの機能に加え、ボタンを押すことによりボトル内の液体をスプレーしてから汚れを拭き取る構造を具有する乾湿両用モップの構造に関わる。
【背景技術】
【０００２】
公知における最も伝統的な清掃用具のモップは、水でぬらしてから床の埃や汚れ或いは毛髪などを拭き取るものであり、使用して汚れたモップは水洗いすることで繰り返し使用できるようになっている。しかしこのタイプのモップは繰り返し使用することで衛生的に問題があるため、静電気を利用して埃などを吸着させる使い捨てタイプである布状のモップが既に開発されている。これは上述のものと異なり、水を使用せず乾いた状態で拭くことから摩擦で生じる静電気を利用するものであり、汚れたら捨てることで非常に衛生的になっている。
【考案の開示】
【考案が解決しようとする課題】
【０００３】
しかし上述のような乾いた状態で拭くタイプのモップにおける欠点として、床がジュースなどの液体或いは粘液状のもので汚れている際は、摩擦による静電気を利用できないため、汚れを効果的に拭き取ることができないことがある。
そこで乾湿どちらの状況下でも効果的に汚れを拭き取ることのできる本考案の乾湿両用モップの構造を提供する。
【課題を解決するための手段】
【０００４】
主にハンドルバーとボトルホルダと貯液ボトルと回転構造とモップボードとより構成し、該ハンドルバーは上方にグリップと下方に接続部とを設けて該グリップと接続部との間に更に押圧装置を設け、該ボトルホルダは該接続部下方に接続し、該貯液ボトルは該押圧装置をプッシュして空気を進入させることでノズルから液体をスプレーさせるべくポンプ構造を設け、また該回転構造は上方が該ボトルホルダと連結されるフォーク状を呈した回転桿を設けると同時に下方には回転桿ホルダを設け、該モップボードはモップ用布を挟設する個所を提供すると同時に該回転桿ホルダを連結させる個所を提供し、該回転構造によって該ボトルホルダと貯液ボトルに適度な高度を与えると共に前後左右に回転させる機能を提供することでスプレーする距離や角度を調製する。
【考案の効果】
【０００５】
本考案によると、従来のように乾いた状態でそのまま床等を拭くことに加え、クリーナーなどの液体をボタン一つで床等にスプレーしてこれを拭く構造、及び未使用布を設置する個所が設けられたことにより、モップがけを更に便利且つ清潔に行う目的が達成された。
【考案を実施するための最良の形態】
【０００６】
図１から図５に示すように、本考案の乾湿両用モップの構造は主にハンドルバー１，ボトルホルダ２，貯液ボトル３，回転構造４，モップボード５より構成される。
【０００７】
該グリップ１においては棒状を呈しており、その最上部にはグリップ１１が設けられており、最下部には該ボトルホルダ２と接続する個所である接続部１２が設けられている。該グリップ１１と該接続部１２との間には押圧装置１３が設けられ、該貯液ボトル３を押圧する作用を提供することでスプレーノズル３３からクリーナーなどの液体をさせる。該押圧装置１３においては、該グリップ１１内のレバー１３２が移動するが、該レバー１３２はピアノ線などによる連動部１３３の一端と枢着されており、該レバー１３２上方には更に該グリップ１１内の弾力片１３４に固定されていることから、該グリップ１１のボタン１３１を押すことで（図３破線から実線位置参照）該レバー１３２が扇型を描いて運動し、これと同時に該連動部１３３が引き上げられ、該連動部１３３を引き上げると共に該弾力片１３４を押圧する。該接続部１２内には押圧桿１３５が接続され、その一端である桿至端１３５ａは該連動部１３３と枢接され、更に該接続部１２内に固定されたバネ１３６と連結されているため、該連動部１３３が上方へ移動するとき、該押圧桿１３５に「てこ」の原理が生じることにより、もう一端の押圧片１３５ｂが貯液ボトル３のポンプ構造３１を押圧する。逆に該ボタン１３１を放すと該弾力片１３４が伸展すると同時に該バネ１３６が縮み、これにてプッシュ動作が終了する。また該押圧桿１３５の動きが妨害されないよう、該接続部１２は該押圧桿１３５上方に更に保護カバー１３を設ける。
【０００８】
ボトルホルダ２においては該接続部１２下方に設けられることで該貯液ボトル３を設置及び定位し、左右両側の翼片２１を挟持具として該貯液ボトル３を挟持設置し、両該翼片２１下方には円弧形を呈した嵌合部２２がそれぞれ設けられており、該貯液ボトル３のビン口を嵌合する個所を提供することで安定性を強化している。更に該ボトルホルダ２と該モップボード５との間に回転構造４を設けたことにより、該貯液ボトル３のスプレーノズル３３の高さを高く調製することができるようになり、液体をスプレーノズルからスプレーさせる距離を伸ばすことでスプレー面積を大きくする目的を達成する。
【０００９】
該貯液ボトル３においては、ボトル内のポンプ構造３１が該押圧装置１３の押圧作用を受けると、ボトル蓋３２より延伸するスプレーノズル３３からクリーナーなどの液体をスプレーさせる構造となっている。該ポンプ構造３１の構造は公知の構造或いは各図中にて図示したような特殊構造を採用するものとし、該ポンプ構造３１は該ボトル凹部３ａに設けたバルブ３１１により押圧片１３５ｂをプッシュする個所を提供し、接続されている連結桿３１２を下方へ移動させ、且つ該バルブ３１１はバルブ蓋３１１ａによって該凹部３ａの入口端３ｂに固定され、バルブ桿３１１ｂを上バネ３１１ｃに穿設してから該バルブ蓋３１１ａ内に穿設する。バルブ口３１１ｄを通過させて上バルブ片３１１ｅを穿設したら該バルブ桿３１１ｂと該バルブ蓋３１１ａとが一体となって分かれないようにし、圧縮されることで略円錐形を呈した該上バルブ片３１１ｅが同様に略円錐形を呈した該バルブ口３１１ｄを開け、空気が該ボトル内に進入するようにする。この他、該バルブ蓋３１１ａは入口端３ｂとの間に漏れ防止リング３１１ｆを設けることで液体の漏れを防止する。更に該連結桿３１２最上部には該バルブ桿３１１ｂに対応して連結されるべく、ラッパのような形状を呈した接続口３１２ａが設けられる。該連結桿３１２下方のストップリング３１２ｂを下バネ３１２ｃに対して穿設し、更にバルブホルダ３４を穿設した後、該下バルブ片３１２ｄを穿設する。該バルブホルダ３４は該ボトル蓋３２と嵌合されて連結され、最上部のバネ設置柱３４１が該連結桿３１２を通過させ、該下バネ３１２ｃを押圧し、周囲の環状壁３４２に開設された壁スリット３４３によってクリーナーなどの液体が流入する個所を提供する。該連結桿３１２は該バルブ３１１が押圧装置１３の押圧を受けて下方へ移動するとき、該下バルブ片３１２ｄは該バルブホルダ３４の穿孔３４４が開くと同時に、縦向きの圧力が生じて該スプレーノズル３３内の液体をスプレーさせる。また該バルブホルダ３４とボトルの頚部３ｃには漏れ防止リング３４５が設けられて液体の漏れを防止するものとする。
【００１０】
該回転構造４においては、該ボトルホルダ２と該モップボード５との間に設けられ、該スプレーノズル３３に一定の高さを与えるものであり、該回転構造４はフォーク状の回転桿４１の最上部によって該ボトルホルダ２下方と連結され、且つ底部は回転桿ホルダ４２上方に設置されて該回転桿４１が該回転桿ホルダ４２にて左右に回転する機能を提供すると共に、該回転桿ホルダ４２下方は該モップボード５上に設置されて前後に回転するようにする。該回転桿４１は該回転桿ホルダ４２上にて垂直を呈し、該ボトルホルダ２と該ハンドルバー１は使用者の必要に応じて角度が調製され、モップをかける方向に応じて左右に回転する。以上のように該回転構造４と該ボトルホルダ２と該貯液ボトル３を合わせることで、該スプレーノズル３３の角度及び左右方向に変化を与え、任意にスプレー距離を調製できると同時に正面或いは左右へのスプレー動作が行えるようになる。
【００１１】
また該モップボード５は平たい板状を呈しており、中央の回転桿ホルダ接続部５１により該回転桿ホルダ４２を枢接し、前後側には少なくとも一つ以上の挟設部５２が設けられているものとする。また表面上四隅にはそれぞれ嵌合孔５２１が設けられて挟設具５２２を設置する個所を提供する。本考案では該挟設具５２２を放射状にスリットの設けられた形状として防塵布などのモップがけ用布の四隅を折って該スリットに挿入させることで定位するものとしているが、該挟設部５２及び該挟設具５２２はこれに限られるものではない。
【００１２】
モップがけ用布等を交換する際において、該グリップバー１上には未使用布ホルダ６を設け、未使用のモップがけ用布を挟設する個所を提供する（図１及び５）。該布ホルダ６には固定ホルダ６１の固定リング６１１を該グリップバー１上に穿設し、その背面には少なくとも一つ以上の弓形弾力片嵌合部６１２が設けられて弓形弾力片６２を嵌合及び定位し、軌道６３を両側の滑動翼６３１によって該固定ホルダ６１と連結させ、該弓形弾力片６２の両端を該滑動翼６３１より突起するブロック６３２で押圧することで、該軌道６３を該固定ホルダ６１に相対して伸展したり縮合したりするようにする。最後に未使用のモップがけ用布を収納するケースを該軌道６３の上定位凸部６３３と該固定ホルダ６１の下定位凸部６１３との間に挟設及び固定する。
【図面の簡単な説明】
【００１３】
【図１】本考案の立体分解図（部分）である。
【図２】本考案の立体分解図（全体）である。
【図３】本考案におけるハンドルバーとグリップの組み立て後の局部断面図である。
【図４】本考案の貯液ボトルとグリップバーの組み立て後の局部断面図である。
【図５】本考案の組み立て後における立体外観図である。
【符号の説明】
【００１４】
１  ハンドルバー
１１  グリップ
１２  接続部
１２１  保護カバー
１３  押圧装置
１３１  ボタン
１３２  レバー
１３３  連動部
１３４  弾力片
１３５  押圧桿
１３５ａ  押圧桿至端
１３５ｂ  押圧片
１３６  バネ
２  ボトルホルダ
２１  翼片
２２  嵌合部
３  貯液ボトル
３ａ  ボトル凹部
３ｂ  入口端
３ｃ  ボトル頚部
３１  ポンプ構造
３１１  バルブ
３１１ａ  バルブ蓋
３１１ｂ  バルブ桿
３１１ｃ  上バネ
３１１ｄ  バルブ口
３１１ｅ  上バルブ片
３１１ｆ  漏れ防止リング
３１２  連結桿
３１２ａ  接続口
３１２ｂ  ストップリング
３１２ｃ  下バネ
３１２ｄ  下バルブ片
３２  ボトル蓋
３３  スプレーノズル
３４  バルブホルダ
３４１  バネ設置柱
３４２  環状壁
３４３  壁スリット
３４４  穿孔
３４５  漏れ防止リング
４  回転構造
４１  回転桿
４２  回転桿ホルダ
５  モップボード
５１  回転桿ホルダ接続部
５２  挟設部
５２１  嵌合孔
５２２  挟設具
６  未使用布ホルダ
６１  固定ホルダ
６１１  固定リング
６１２  弓形弾力片嵌合部
６１３  下定位凸部
６２  弓形弾力片
６３  軌道
６３１  滑動翼
６３２  ブロック
６３３  上定位凸部
【図１】
0003102820.tif 000003
【図２】
0003102820.tif 000004
【図３】
0003102820.tif 000005
【図４】
0003102820.tif 000006
【図５】
0003102820.tif 000007